(57)【要約】【課題】  デジタル放送受信機のスタンバイ時における商用電源の電力消費の削減を図る。【解決手段】  デジタル放送受信機のスタンバイ時は、商用電源の電力を遮断し、公衆回線に重畳されている電力を援用する。【選択図】  図１
2007135017.tif 000002
【特許請求の範囲】
【請求項１】
公衆回線との接続手段を有したデジタル放送受信機において、
商用電源からの電力から所定の電力を作成する第１の電源回路と、
公衆回線に重畳されている電力から所定の電力を作成する第２の電源回路と、
前記第１の電源回路の電力と第２の電源回路の電力とを切換える電源制御回路と、
を具備することを特徴とするデジタル放送受信機。
【請求項２】
公衆回線との接続手段を有したデジタル放送受信機において、
商用電源からの電力から所定の電力を作成する第１の電源回路と、
公衆回線に重畳されている電力から所定の電力を作成する第２の電源回路と、
前記デジタル放送受信機の動作時に前記第１の電源回路の電力を用い、前記デジタル放送受信機のスタンバイ時に前記第２の電源回路の電力を用いるように切換える電源制御回路と、
を具備することを特徴とするデジタル放送受信機。
【請求項３】
公衆回線との接続手段を有したデジタル放送受信機において、
商用電源からの電力から所定の電力を作成する第１の電源回路と、
公衆回線に重畳されている電力から所定の電力を作成する第２の電源回路と、
前記デジタル放送受信機の動作時に前記第１の電源回路の電力を用い、前記デジタル放送受信機のスタンバイ時に前記第１の電源回路の電力及び前記第２の電源回路の電力を用いるように切換える電源制御回路と、
を具備することを特徴とするデジタル放送受信機。
【請求項４】
公衆回線との接続手段を有したデジタル放送受信機において、
商用電源からの電力から所定の電力を作成する第１の電源回路と、
公衆回線に重畳されている電力から所定の電力を作成する第２の電源回路と、
前記第１の電源回路からの電力により充電されるバッテリーと、
前記デジタル放送受信機の動作時に前記第１の電源回路の電力を用い、前記デジタル放送受信機のスタンバイ時に前記第２の電源回路の電力及び前記バッテリーの電力を用いるように切換える電源制御回路と、
を具備することを特徴とするデジタル放送受信機。
【請求項５】
請求項２乃至請求項４のいずれかに記載のデジタル放送受信機において、
前記スタンバイ時にデジタル放送受信機の一部の構成部分にのみ電源を供給することを特徴とするデジタル放送受信機。
【請求項６】
請求項２乃至請求項４のいずれかに記載のデジタル放送受信機において、
前記スタンバイ時にデジタル放送受信機の一部の構成部分にのみ前記第２の電源回路の電力を供給し、前記デジタル放送受信機の動作時にデジタル放送受信機の全部の構成部分に前記第１の電源回路の電力を供給することを特徴とするデジタル放送受信機。
【請求項７】
請求項６または請求項７に記載のデジタル放送受信機において、
前記スタンバイ時に電力の供給されるデジタル放送受信機の一部の構成部分の消費電力は、通常動作時とスタンバイ時とで変化することを特徴とするデジタル放送受信機。
【請求項８】
公衆回線との接続手段を有したデジタル放送受信機の制御プログラムであって、
前記デジタル放送受信機は、
商用電源からの電力から所定の電力を作成する第１の電源回路と、
公衆回線に重畳されている電力から所定の電力を作成する第２の電源回路と、
前記第１の電源回路の電力と第２の電源回路の電力とを切換える電源制御回路と、
を具備し、
前記デジタル放送受信機の動作時に前記第１の電源回路の電力を用い、前記デジタル放送受信機のスタンバイ時に前記第２の電源回路の電力を用いるように前記電源制御回路を切換える制御プログラム。
【請求項９】
公衆回線との接続手段を有したデジタル放送受信機の制御プログラムであって、
前記デジタル放送受信機は、
商用電源からの電力から所定の電力を作成する第１の電源回路と、
公衆回線に重畳されている電力から所定の電力を作成する第２の電源回路と、
前記第１の電源回路の電力と第２の電源回路の電力とを切換える電源制御回路と、
を具備し、
前記デジタル放送受信機の動作時に前記第１の電源回路の電力を用い、前記デジタル放送受信機のスタンバイ時に前記第１の電源回路の電力及び前記第２の電源回路の電力を用いるように前記電源制御回路を切換える制御プログラム。
【請求項１０】
公衆回線との接続手段を有したデジタル放送受信機の制御プログラムであって、
前記デジタル放送受信機は、
商用電源からの電力から所定の電力を作成する第１の電源回路と、
公衆回線に重畳されている電力から所定の電力を作成する第２の電源回路と、
前記第１の電源回路からの電力により充電されるバッテリーと、
前記第１の電源回路の電力と第２の電源回路の電力とバッテリーの電力とを切換える電源制御回路と、
を具備し、
前記デジタル放送受信機の動作時に前記第１の電源回路の電力を用い、前記デジタル放送受信機のスタンバイ時に前記第２の電源回路の電力及び前記バッテリーの電力を用いるように電源制御回路を切換える制御プログラム。
【請求項１１】
請求項８乃至請求項１０のいずれかに記載のデジタル放送受信機の制御プログラムであって、
前記スタンバイ時にデジタル放送受信機の一部の構成部分にのみ電源を供給するように制御することを特徴とする制御プログラム。
【請求項１２】
請求項８乃至請求項１０のいずれかに記載のデジタル放送受信機の制御プログラムであって、
前記スタンバイ時にデジタル放送受信機の一部の構成部分にのみ前記第２の電源回路の電力を供給するように制御し、前記デジタル放送受信機の動作時にデジタル放送受信機の全部の構成部分に前記第１の電源回路の電力を供給するように制御することを特徴とする制御プログラム。
【請求項１３】
請求項１０または請求項１１に記載のデジタル放送受信機の制御プログラムであって、
前記スタンバイ時に電力の供給されるデジタル放送受信機の一部の構成部分の消費電力が、通常動作時とスタンバイ時とで変化するように制御することを特徴とする制御プログラム。
【発明の詳細な説明】
【技術分野】
【０００１】
本発明は、公衆回線との接続機能を有するデジタル放送受信機などに適用できるものである。
【背景技術】
【０００２】
近年、地球温暖化などの環境問題から、電子機器の消費電力の削減が問題となっている。
【０００３】
近時の多くの電子機器における「電源ＯＦＦ」の状態として、商用電源のコンセントを抜き、完全に電源を切る状態と、リモコンなどの操作により、電源を切る状態がある。
【０００４】
リモコンなどの操作により電源を切った場合、完全に電源が切られるわけではなく、必要最小限の機能には電源が供給されている。所謂スタンバイ状態であり、この時の消費電力を待機電力という。
【０００５】
電子機器の消費電力の削減は、電子機器の動作中の消費電力の削減はもとより、待機電力の削減も重要な課題となっている。
【０００６】
特に、デジタル放送受信機においては、スタンバイ時においても、所定の情報を取得しなければならないため、待機電力が大きくなる傾向にある。
【０００７】
このような課題に対して、従来、放送受信機にタイマーを搭載し、スタンバイ時には、タイマーで設定された所定の時間のみ間欠的に放送受信機を動作させる手法が提案されている（特許文献１）。
【特許文献１】特開平１１−１２２５８６号公報
【発明の開示】
【発明が解決しようとする課題】
【０００８】
上記のような従来の方法によれば、所定の情報を取得するためのデコード部などの消費電力は削減することができる。
【０００９】
しかし、タイマーやそれを制御するための制御部などは、スタンバイ時においても常時電力が消費されていることになる、という問題がある。
【００１０】
このように、従来試みられているような、スタンバイ時の待機電力そのものを削減する手法には限界がある。
【００１１】
そこで、かかる課題に鑑み、本発明は、従来のように、デジタル放送受信機のスタンバイ時の待機電力自体を削減するのではなく、待機電力の供給元として、従来の商用電源以外の電力供給元を設け、商用電源の電力消費を削減することで、結果的に電力消費の削減という目的を達成しようとするものである。
【課題を解決するための手段】
【００１２】
上記課題を解決するため、本発明は以下のような手段を講じた。
【００１３】
即ち、本発明にかかるデジタル放送受信機は、公衆回線との接続手段を有したデジタル放送受信機において、商用電源からの電力から所定の電力を作成する第１の電源回路と、公衆回線に重畳されている電力から所定の電力を作成する第２の電源回路と、前記第１の電源回路の電力と第２の電源回路の電力とを切換える電源制御回路と、を具備するようにした。
【００１４】
かかる構成により、商用電源からの電力の消費を削減することができる。
【００１５】
また、本発明にかかるデジタル放送受信機は、公衆回線との接続手段を有したデジタル放送受信機において、商用電源からの電力から所定の電力を作成する第１の電源回路と、公衆回線に重畳されている電力から所定の電力を作成する第２の電源回路と、前記デジタル放送受信機の動作時に前記第１の電源回路の電力を用い、前記デジタル放送受信機のスタンバイ時に前記第２の電源回路の電力を用いるように切換える電源制御回路と、を具備するようにした。
【００１６】
かかる構成により、スタンバイ時における商用電源からの電力の消費を削減することができる。
【００１７】
また、本発明にかかるデジタル放送受信機は、公衆回線との接続手段を有したデジタル放送受信機において、商用電源からの電力から所定の電力を作成する第１の電源回路と、公衆回線に重畳されている電力から所定の電力を作成する第２の電源回路と、前記デジタル放送受信機の動作時に前記第１の電源回路の電力を用い、前記デジタル放送受信機のスタンバイ時に前記第１の電源回路の電力及び前記第２の電源回路の電力を用いるように切換える電源制御回路と、を具備するようにした。
【００１８】
かかる構成により、スタンバイ時の電力が公衆回線からの電力だけでまかなえない場合にも対応することができる。
【００１９】
また、本発明にかかるデジタル放送受信機は、公衆回線との接続手段を有したデジタル放送受信機において、商用電源からの電力から所定の電力を作成する第１の電源回路と、公衆回線に重畳されている電力から所定の電力を作成する第２の電源回路と、前記第１の電源回路からの電力により充電されるバッテリーと、前記デジタル放送受信機の動作時に前記第１の電源回路の電力を用い、前記デジタル放送受信機のスタンバイ時に前記第２の電源回路の電力及び前記バッテリーの電力を用いるように切換える電源制御回路と、を具備するようにした。
【００２０】
かかる構成により、スタンバイ時の電力が公衆回線からの電力だけでまかなえない場合にも対応することができると共に、商用電源の電力消費を更に削減することができる。
【００２１】
また、本発明にかかるデジタル放送受信機は、上記のいずれかの手段を講じると共に、スタンバイ時にデジタル放送受信機の一部の構成部分にのみ電源を供給するようにした。
【００２２】
かかる構成により、スタンバイ時の消費電力を必要最小限のものとすることができる。
【００２３】
更に、本発明にかかるデジタル放送受信機は、上記のいずれかの手段を講じると共に、スタンバイ時にデジタル放送受信機の一部の構成部分にのみ前記第２の電源回路の電力を供給し、デジタル放送受信機の動作時に電子機器の全部の構成部分に前記第１の電源回路の電力を供給するようにした。
【００２４】
かかる構成により、スタンバイ時に必要な構成部分の消費電力が、スタンバイ時と動作時とで変動しても、その変動に対応することができる。
【００２５】
加えて、以上の各手段を制御プログラムで制御するようにした。
【発明の効果】
【００２６】
本発明によれば、スタンバイ時の商用電源からの電力の消費を削減することができる。
【００２７】
これにより、一般家庭における、商用電源の電力消費量を削減することができ、ひいては、電気代の節約に資することができる。
【発明を実施するための最良の形態】
【００２８】
本発明を実施するためのデジタル放送受信機の形態を以下に説明する。
【００２９】
図１は、本発明にかかるデジタル放送受信機のブロック図である。
【００３０】
図１において、１０１はチューナ部、１０２は復調部、１０３はデスクランブル部、１０４はデマックス部、１０５はＡＶでコーダ部、１０６はＮＴＳＣエンコーダ部、１０７はリモコン受光部、１０８はＩＣカード部、１０９はメモリ、１１０はシステム制御部、１１１はモデム部、１１２はＤＣ／ＤＣコンバータ部、１１３は電源制御部、１１４は電源回路、１１５は公衆回線との接続端子、１１６は商用電源用の端子である。
（１）  まず、テレビ信号の処理の形態について説明する。
【００３１】
屋外などに設置されたアンテナで受信された放送電波は、ケーブルなどを通してチューナ１０１に入力される。チューナ１０１では、ユーザから指示されたサービスを視聴するために所定の伝送チャンネルに同調させる。
【００３２】
チューナ１０１から得られた信号は、復調部１０２に入力される。復調部１０２では、所定の方式で変調された放送信号を復調し、ＭＰＥＧトランスポートストリーム（以下、ＴＳという）形式で出力する。
【００３３】
復調されたＴＳ信号は、デスクランブル部１０３に入力される。デスクランブル部１０３では、必要に応じて、ＩＣカード１０８からの情報を元に暗号が解除される。
【００３４】
デスクランブル部１０３で暗号が解除されたＴＳ信号は、デマックス部１０４に入力される。デマックス部１０４では、複数のサービスが多重されたＴＳ信号からユーザが視聴を指示したサービスの映像信号、音声信号、その他の付加情報を分離する。
【００３５】
デマックス部１０４で分離された映像信号、音声信号はＡＶデコーダ部１０５に入力され、付加情報は、システム制御部１１０を通じてメモリ１０９に蓄えられる。ＡＶデコーダ部１０５では、ＭＰＥＧ方式で圧縮符号化された映像信号、音声信号の伸張復号化が行われる。
【００３６】
ＡＶデコーダ部１０５で復号された映像信号、音声信号はＮＴＳＣエンコーダ１０６に入力される。ＮＴＳＣエンコーダ１０６では、復号された映像信号をわが国の標準テレビジョン方式であるＮＴＳＣ方式に変換して出力する。
【００３７】
ＩＣカード１０８は、公衆回線を通じてデスクランブル部１０３での暗号解除のための鍵情報の取得や、番組視聴契約情報の書き込み、送信などを行なう。モデム１１１、公衆回線との接続端子１１５は、ＩＣカード１０８が公衆回線との接続をするための構成である。
（２）  次に、かかるデジタル放送受信機の電力供給の形態について説明する。
【００３８】
図２は、図１のブロック図から、信号線、制御線を省略し、主に電源線の接続について記載した図である。ただし、図２において、システム制御部１１０から出ている点線の線は制御線である。
【００３９】
以下、図２を参照して説明する。
【００４０】
デジタル放送受信機の動作中は、商用電源接続端子１１６から商用電源が供給される。
【００４１】
商用電源は、電源回路１１４に入力される。電源回路１１４では、商用電源を整流し、所定の電圧の電力を電源制御部１１３を介してデジタル放送受信機の各部に供給する。このとき、スイッチ２０１は閉じられ、デジタル放送受信機の全ての構成部分に電源回路１１４からの電力が供給される。
【００４２】
一方、スタンバイ時には、電源制御部１１３は、システム制御部１１０からの制御信号により電源回路１１４からの電力の供給を遮断する。これにより、スタンバイ時には、商用電源の電力消費を削減することができる。
【００４３】
ところで、公衆回線にはファントム給電と呼ばれる方法で、電力が供給されている。停電時にも電話の通話ができる所以である。通常のアナログ加入者線においてファントム給電で供給される電力は４２０ｍＷ程度である。一方、現在のデジタル放送受信機の待機電力は３００ｍＷから５００ｍＷ程度である。よって、公衆回線から供給される電力により、デジタル放送受信機の待機電力は十分まかなえる。
【００４４】
そこで、公衆回線に重畳されている電力をＤＣ／ＤＣコンバータ１１２に入力する。ＤＣ／ＤＣコンバータ１１２では、入力された電力を所定の電圧に変換する。
【００４５】
スタンバイ時には、ＤＣ／ＤＣコンバータ１１２の出力電力を電源制御部１１３を介してデジタル放送受信機のスタンバイ時においても動作が必要な各部に供給する。
【００４６】
ここで、「スタンバイ時においても動作が必要な各部」とは、例えば、図２では、リモコン受光部１０７、ＩＣカード１０８、メモリ１０９、システム制御部１１０、モデム１１１を例示している。
【００４７】
スタンバイ時には、システム制御部１１０からの制御信号により、スイッチ２０１が開放され、上記「スタンバイ時においても動作が必要な各部」以外の部分への電源の供給が遮断される。
【００４８】
即ち、電源制御部１１３は、システム制御部１１０からの制御信号に基づいて、通常動作時には、商用電源を電力の供給元とする電源回路１１４（第１の電源回路）からの電力をデジタル放送受信機の各部（全部）に供給する。一方、スタンバイ時には、システム制御部１１０からの制御信号に基づいて、公衆回線に重畳されている電力を供給元とするＤＣ／ＤＣコンバータ１１２（第２の電源回路）からの電力をデジタル放送受信機のスタンバイ時においても動作が必要な各部（一部）に供給する。
【００４９】
尚、上記「スタンバイ時においても動作が必要な各部」は、スタンバイ時にはＤＣ／ＤＣコンバータ１１２からの電力が供給され、通常動作時には電源回路１１４からの電力が供給される。通常動作時にＤＣ／ＤＣコンバータ１１２からの電力を用いないのは、これら「スタンバイ時においても動作が必要な各部」は、スタンバイ時には必要最小限の機能に止めて動作しているため、ＤＣ／ＤＣコンバータ１１２からの電力だけでまかなえるが、通常動作時には、最大限の機能を発揮するために消費電力が増加し、ＤＣ／ＤＣコンバータ１１２からの電力だけでまかなえなくなるからである。つまり、「スタンバイ時においても動作が必要な各部」自身の消費電力が通常動作時とスタンバイ時とで変動するためである。
【００５０】
ここで、電源制御部１１３の構造を図３に示す。
【００５１】
図３において、システム制御部１１０からの制御信号に基づいて、スイッチ３０１が、電源回路１１４からの電力か、ＤＣ／ＤＣコンバータ１１２からの電力かを選択して出力する。
【００５２】
次に、公衆回線から得た電力だけでは待機電力の全てをまかなえない場合について説明する。
【００５３】
この場合の第１の方法として、一部を商用電源からの電力でまかなうことが考えられる。
【００５４】
この場合の、図１のブロック図から、信号線、制御線を省略し、主に電源線の接続について記載した図が図４である。
【００５５】
どれくらいの電力が不足するのかについては、スタンバイ時の待機電力は、デジタル放送受信機の設計時点で把握することができ、また、公衆回線から供給できる電力も把握することができるため、公衆回線から供給できる電力で足りない分の電力は予め把握することができる。
【００５６】
図４において、例えば、リモコン受光部１０７の分だけ、公衆回線から得た電力ではまかなえないとする。
【００５７】
その場合、「スタンバイ時においても動作が必要な各部」の内、「リモコン受光部１０７」への電源供給ライン（Ｌｉｎｅ２）と「その他の部分」への電源供給ライン（Ｌｉｎｅ１）を分離する。
【００５８】
スタンバイ時には、「その他の部分」への電力の供給は、ＤＣ／ＤＣコンバータ１１２から行い、「リモコン受光部１０７」への電力の供給は、電源回路１１４から行なう。
【００５９】
この場合の電源制御部１１３の構造を図５に示す。
【００６０】
図５において、システム制御部１１０からの制御信号に基づいて、通常動作時においては、スイッチ５０１の接点を電源回路１１４側に接続し、スタンバイ時には、スイッチ５０１の接点をＤＣ／ＤＣコンバータ１１２側に接続する。
【００６１】
次に第２の方法として、バッテリーを搭載し、公衆回線の電力だけではまかなえない分をバッテリーからの電力でまかなうことが考えられる。
【００６２】
この場合の、図１のブロック図から、信号線、制御線を省略し、主に電源線の接続について記載した図が図６である。尚、バッテリー６０１は、通常動作時に充電される。
【００６３】
この場合の電源制御部１１３の構造を図７に示す。
【００６４】
図７において、システム制御部１１０からの制御信号に基づいて、通常動作時においては、スイッチ７０１、７０２の接点を電源回路１１４側に接続し、スタンバイ時には、スイッチ７０１の接点をＤＣ／ＤＣコンバータ１１２側に接続し、スイッチ７０２の接点をバッテリー６０１側に接続する。
【００６５】
尚、図では明示していないが、スタンバイ時にはバッテリーへの充電は遮断される。
【図面の簡単な説明】
【００６６】
【図１】本発明の信号ラインのブロック図である。
【図２】本発明の電源ラインの第１のブロック図である。
【図３】本発明の電源制御部の第１のブロック図である。
【図４】本発明の電源ラインの第２のブロック図である。
【図５】本発明の電源制御部の第２のブロック図である。
【図６】本発明の電源ラインの第３のブロック図である。
【図７】本発明の電源制御部の第３のブロック図である。
【符号の説明】
【００６７】
１０１  チューナ部
１０２  復調部
１０３  デスクランブル部
１０４  デマックス部
１０５  ＡＶデコーダ部
１０６  ＮＴＳＣエンコーダ部
１０７  リモコン受光部
１０８  ＩＣカード
１０９  メモリ
１１０  システム制御部
１１１  モデム
１１２  ＤＣ／ＤＣコンバータ
１１３  電源制御部
１１４  電源回路
１１５  商用電源接続端子
１１６  公衆回線接続端子
２０１  電源遮断スイッチ
３０１  供給電源切換スイッチ
５０１  供給電源切換スイッチ
６０１  バッテリー
７０１  供給電源切換スイッチ
７０２  供給電源切換スイッチ
【図１】
2007135017.tif 000003
【図２】
2007135017.tif 000004
【図３】
2007135017.tif 000005
【図４】
2007135017.tif 000006
【図５】
2007135017.tif 000007
【図６】
2007135017.tif 000008
【図７】
2007135017.tif 000009